(57)【要約】【課題】反射型表示素子を用いて映像表示を行う際に、表示画質を向上させることが可能な表示装置等を提供する。【解決手段】表示装置は、各々が反射型表示素子を含む複数の画素を有する表示部と、この表示部の表示面側に配設されると共に、表示面に対向配置された複数の発光素子を有する光源部とを備えている。この光源部では、発光素子からの発光光が表示部側に選択的に出射される。【選択図】図１
2013218057.tif 000002
【特許請求の範囲】
【請求項１】
各々が反射型表示素子を含む複数の画素を有する表示部と、
前記表示部の表示面側に配設されると共に、前記表示面に対向配置された複数の発光素子を有する光源部と
を備え、
前記光源部では、前記発光素子からの発光光が前記表示部側に選択的に出射される
表示装置。
【請求項２】
前記光源部は、画素領域に対応して開口が形成された遮光部を有し、
前記発光素子は、画素間領域において前記遮光部の前記表示部側に配置されている
請求項１に記載の表示装置。
【請求項３】
前記遮光部における前記開口内に、カラーフィルタが配設されている
請求項２に記載の表示装置。
【請求項４】
前記カラーフィルタが、前記画素ごとに色分けされて複数色設けられており、
前記複数色のカラーフィルタに対応した複数種類の画素によって、画素ユニットが構成されている
請求項３に記載の表示装置。
【請求項５】
前記カラーフィルタが、前記画素ごとに色分けされて複数色設けられており、
前記複数色のカラーフィルタに対応した複数種類の画素と、前記複数色のカラーフィルタに対して並設された前記発光素子とによって、画素ユニットが構成されている
請求項３に記載の表示装置。
【請求項６】
前記発光素子が、前記表示部と前記光源部との間隙距離を制御する構造を有する
請求項２に記載の表示装置。
【請求項７】
前記発光素子が発光層を含んで構成され、
前記発光層が、前記表示部側に突出する厚膜状からなる
請求項６に記載の表示装置。
【請求項８】
前記発光素子が、発光層と、この発光層からの発光光を色変換する色変換層とを含んで構成され、
前記色変換層が、前記表示部側に突出する厚膜状からなる
請求項６に記載の表示装置。
【請求項９】
前記発光素子が、発光層および駆動電極を含む
請求項２に記載の表示装置。
【請求項１０】
前記駆動電極が、前記遮光部と前記発光層との間に配置されている
請求項９に記載の表示装置。
【請求項１１】
前記駆動電極が遮光電極であり、前記遮光部を兼ねている
請求項９に記載の表示装置。
【請求項１２】
前記発光素子の発光動作を制御する発光制御部を備え、
前記発光制御部は、前記光源部における発光領域および発光輝度をそれぞれ、前記発光素子単位で制御する
請求項１に記載の表示装置。
【請求項１３】
前記表示部および前記光源部ではそれぞれ、それらの少なくとも一部分が可撓性を有し、
前記発光制御部は、前記表示部および前記光源部の撓み状況に応じて、前記発光動作を制御する
請求項１２に記載の表示装置。
【請求項１４】
前記発光制御部は、前記表示部および前記光源部の湾曲領域付近に位置する発光素子に対して、その発光動作を停止、またはその発光輝度を増加させる
請求項１３に記載の表示装置。
【請求項１５】
前記発光制御部は、外光の明るさ状況に応じて、前記発光動作を制御する
請求項１２に記載の表示装置。
【請求項１６】
前記表示部および前記光源部ではそれぞれ、それらの少なくとも一部分が可撓性を有し、
前記表示部および前記光源部の撓み状況に応じて前記反射型表示素子の表示動作を前記画素単位で制御する表示制御部を備えた
請求項１に記載の表示装置。
【請求項１７】
前記表示制御部は、
前記表示部および前記光源部の湾曲領域付近に位置する、複数色に対応する画素内の各反射型表示素子へ供給する映像信号の階調を制御することにより、その湾曲領域付近でのホワイトバランスが保たれるように制御する
請求項１６に記載の表示装置。
【請求項１８】
前記反射型表示素子が、電気泳動素子、液晶素子、ＭＥＭＳ素子、エレクトロウェッティング素子またはエレクトロクロミック素子からなる
請求項１に記載の表示装置。
【請求項１９】
前記発光素子が、有機電界発光素子または無機電界発光素子からなる
請求項１に記載の表示装置。
【請求項２０】
表示装置を備え、
前記表示装置は、
各々が反射型表示素子を含む複数の画素を有する表示部と、
前記表示部の表示面側に配設されると共に、前記表示面に対向配置された複数の発光素子を有する光源部と
を備え、
前記光源部では、前記発光素子からの発光光が前記表示部側に選択的に出射される
電子機器。
【発明の詳細な説明】
【技術分野】
【０００１】
本開示は、反射型表示素子を用いて映像表示を行う表示装置、およびそのような表示装置を備えた電子機器に関する。
【背景技術】
【０００２】
従来、反射型の液晶素子等からなる反射型表示素子を用いた表示装置（反射型表示装置）として、種々のものが提案されている。例えば特許文献１には、いわゆるエッジライト型の光源部（フロントライト）を備えた、反射型の液晶表示装置が開示されている。
【先行技術文献】
【特許文献】
【０００３】
【特許文献１】特開２０００−２０００４９号公報
【発明の概要】
【発明が解決しようとする課題】
【０００４】
ところで、このような反射型表示素子を用いた表示装置では一般に、表示画質を向上させることが求められている。したがって、そのような画質向上を実現する手法の提案が望まれる。
【０００５】
本開示はかかる問題点に鑑みてなされたもので、その目的は、反射型表示素子を用いて映像表示を行う際に表示画質を向上させることが可能な表示装置、およびそのような表示装置を備えた電子機器を提供することにある。
【課題を解決するための手段】
【０００６】
本開示の表示装置は、各々が反射型表示素子を含む複数の画素を有する表示部と、この表示部の表示面側に配設されると共に、表示面に対向配置された複数の発光素子を有する光源部とを備えたものである。この光源部では、発光素子からの発光光が表示部側に選択的に出射される。
【０００７】
本開示の電子機器は、上記本開示の表示装置を備えたものである。
【０００８】
本開示の表示装置および電子機器では、表示部の表示面側に配設された光源部内の複数の発光素子からの発光光（光源光）および外光のうちの少なくとも一方が、各画素内の反射型表示素子へ入射し、反射されたのちに表示光として出射する。ここで、上記複数の発光素子が表示部の表示面に対向配置されているため、例えば表示部のサイズが大きい場合であっても、いわゆるエッジライト型の光源部と比べ、光源光の表示面内での輝度むらが抑えられる。また、光源部では発光素子からの発光光が表示部側に選択的に出射されることにより、例えば発光光が表示部側およびその反対側の双方へ出射される場合とは異なり、この表示部の反対側へ出射された発光光による表示映像の視認妨げ現象（表示映像の白色化現象）の発生が防止される。
【発明の効果】
【０００９】
本開示の表示装置および電子機器によれば、光源部内の複数の発光素子を、反射型表示素子を有する表示部の表示面に対向配置すると共に、この発光素子からの発光光（光源光）が表示部側に選択的に出射されるようにしたので、光源光の表示面内での輝度むらを抑えると共に、表示映像の白色化現象の発生を防止することができる。よって、反射型表示素子を用いて映像表示を行う際に、表示画質を向上させることが可能となる。
【図面の簡単な説明】
【００１０】
【図１】本開示の第１の実施の形態に係る表示装置の概略構成例を表す模式斜視図である。
【図２】図１に示した表示装置の詳細構成例を表す模式断面図である。
【図３】図２に示した発光素子の詳細構成例を表す模式断面図である。
【図４】図２に示した発光素子の他の詳細構成例を表す模式断面図である。
【図５】比較例１に係る表示装置の概略構成例を表す模式斜視図である。
【図６】比較例３に係る表示装置の概略構成例を表す模式斜視図である。
【図７】変形例１，２に係る表示装置の構成例を表す模式断面図である。
【図８】表示装置における間隙距離に起因した現象について説明するための模式断面図である。
【図９】第２の実施の形態に係る表示装置の構成例を表す模式図である。
【図１０】変形例３に係る表示装置の構成例を表す模式図である。
【図１１】第３の実施の形態に係る表示装置の動作例を表す模式図である。
【図１２】第３の実施の形態に係る表示装置の他の動作例を表す模式図である。
【図１３】図９に示した表示装置の湾曲時の現象について説明するための模式平面図である。
【図１４】図１３に示した現象を改善するための動作例を表す模式図である。
【図１５】各実施の形態および各変形例に係る表示装置の電子機器への適用例１の外観を表す斜視図である。
【図１６】適用例２の外観を表す斜視図である。
【図１７】（Ａ）は適用例３の表側から見た外観を表す斜視図であり、（Ｂ）は裏側から見た外観を表す斜視図である。
【図１８】適用例４の外観を表す斜視図である。
【図１９】適用例５の外観を表す斜視図である。
【図２０】（Ａ）は適用例６の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１１】
以下、本開示の実施の形態について、図面を参照して詳細に説明する。なお、説明は以下の順序で行う。
１．第１の実施の形態（遮光部の表示面側に複数の発光素子が配置された光源部の例）
２．第１の実施の形態の変形例
変形例１，２（表示部と光源部との間隙距離を制御する構造の発光素子の例）
３．第２の実施の形態（遮光部の開口内にカラーフィルタが配置された光源部の例）
４．第２の実施の形態の変形例
変形例３（赤色画素，緑色画素，青色画素のみで画素ユニットが構成された例）
５．第３の実施の形態（撓み状況等に応じて発光動作・表示動作を制御する例）
６．適用例（表示装置の電子機器への適用例）
７．その他の変形例
【００１２】
＜第１の実施の形態＞
［表示装置１の構成］
図１は、本開示の一実施の形態に係る表示装置（表示装置１）の概略断面構成を、斜視図（分解斜視図）で模式的に表したものである。また、図２は、この表示装置１における断面構成（Ｚ−Ｘ断面構成）の一例を模式的に表したものである。表示装置１は、背面（裏面）側に配置された表示部１１（表示パネル）と、前面（観察面）側に配置された光源部１２（フロントライト）とを備えており、後述する反射型の表示素子を用いて映像表示を行う反射型表示装置である。
【００１３】
（表示部１１）
表示部１１は、図１に示したように、複数の画素１１０が２次元配置（マトリクス配置）されてなる。各画素１１０内には、例えば電気泳動素子、ＬＣＯＳ（Liquid Crystal On Silicon）などの液晶素子、ＭＥＭＳ（Micro Electro Mechanical Systems）素子、エレクトロウェッティング素子またはエレクトロクロミック素子等を用いて構成された、反射型表示素子１１１が設けられている。すなわち、この表示部１１は、反射型の表示パネルであり、後述する光源部１２から出射される光源光（発光光Ｌｅ）および外光Ｌｏ（環境光）のうちの少なくとも一方を用いて映像表示を行う（反射光としての表示光Ｌｒを出射する）ようになっている。
【００１４】
なお、後述するように、この表示部１１において、その少なくとも一部分（望ましくは全部）が可撓性（フレキシブル性）を有するようにしてもよい。その場合、表示部１１は、例えば、プラスチック基板、電気泳動素子等からなる反射型表示素子１１、および有機ＴＦＴ（Thin Film Transistor；薄膜トランジスタ）等からなる駆動素子などを用いて構成される。
【００１５】
（光源部１２）
光源部１２は、図１に示したように、表示部１１の表示面Ｓｄ（表面）側に配置されており、表示部１１（表示面Ｓｄ）に対して発光光Ｌｅ（光源光）を照射（出射）するフロントライトである。この光源部１２では、例えば有機電界発光素子（有機ＥＬ（Electro Luminescence）素子や無機電界発光素子（無機ＥＬ素子）、発光ダイオード（ＬＥＤ；Light Emitting Diode）等からなる複数の発光素子１２１が、表示面Ｓｄに対向配置されている。具体的には、これらの発光素子１２１は、光源部１２の照射面（光出射面）上において２次元配置（例えばマトリクス配置）されており、各発光素子１２１から光源光としての発光光Ｌｅが表示部１１へ向けて出射されるようになっている。
【００１６】
この光源部１２では、図１および図２に示したように、例えば表示装置１の表面側から裏面側（表示部１１側）に向かって、支持基板１２３、遮光部１２２（遮光層，着色層）および発光素子１２１がこの順に配置されている。支持基板１２３は、遮光部１２２および発光素子１２１等を支持するための基板（基材）であり、ここでは例えば透明フィルム（透明樹脂材料）等からなる透明基板である。
【００１７】
遮光部１２２は、表示部１１における画素１１０同士の間の領域（画素間領域）に配置され、画素１１０の領域（画素領域）に対応して開口１２０が形成されている。すなわち、ここでは図１に示したように、この遮光部１２２は格子状となっている。この遮光部１２２は、いわゆるブラックマトリクス（ＢＭ）として機能するものであり、例えば所定の黒色樹脂材料からなる。
【００１８】
各発光素子１２１は、図２に示したように、このような遮光部１２２の裏面側（表示部１１側）に設けられているため、表示部１１の画素間領域に配置されるようになっている。したがって、各発光素子１２１から遮光部１２２側へ向けて出射された発光光Ｌｅは、この遮光部１２２において吸収される。このことから、図１および図２に示したように、光源部１２では、各発光素子１２１からの発光光Ｌｅ（光源光）は表示部１１側に選択的に出射されるようになっている。
【００１９】
このような発光素子１２１は、詳細には例えば図３に示したように、発光層１２１Ａと、この発光層１２１Ａを発光させる（駆動電力を供給する）ための一対の電極１２１Ｂ（駆動電極）とを有している。この図３に示した例では、発光層１２１Ａを挟み込むようにしてその側面側に、一対の電極１２１Ｂが配置されている。つまり、この例では、発光層１２１Ａおよび一対の電極１２１Ｂがそれぞれ、遮光部１２２の裏面側（表示部１１側）に配置されている。
【００２０】
また、例えば図４（Ａ）に示したように、発光素子１２１が、発光層１２１Ａと、発光素子１２１ごとに設けられた電極１２１Ｂと、各発光素子１２１に共通で設けられた透明電極１２１Ｃとから構成されているようにしてもよい。この場合、電極１２１Ｂおよび透明電極１２１Ｃが、発光層１２１Ａの駆動電極として機能するようになっている。このような透明電極１２１Ｃは、例えば、ＩＴＯ（Indium Tin Oxide；酸化インジウム錫），ＩＺＯ（Indium Zinc Oxide；酸化インジウム亜鉛），ＳｎＯ2（酸化錫），ＺｎＯ2（酸化亜鉛）等の透明導電材料からなる。また、この例では、遮光部１２２の裏面側に、この遮光部１２２から表示部１１側へ向かって、電極１２１Ｂ、発光層１２１Ａおよび透明電極１２１Ｃがこの順に積層されており、ここでは透明電極１２１Ｃが表示部１１の表示面Ｓｄ上に設けられている。つまり、遮光部１２２と発光層１２１Ａとの間に、透明電極１２１Ｃが配置されるようになっている。
【００２１】
更に、例えば図４（Ｂ）に示したように、発光素子１２１が、発光層１２１Ａと、発光素子１２１ごとに設けられた遮光電極１２１Ｄと、各発光素子１２１に共通で設けられた透明電極１２１Ｃとから構成されているようにしてもよい。この場合、遮光電極１２１Ｄおよび透明電極１２１Ｃが、発光層１２１Ａの駆動電極として機能するようになっていると共に、遮光電極１２１Ｄが遮光部１２２を兼ねている（遮光電極１２１Ｄと遮光部１２２とが共通化されている）。このような遮光電極１２１Ｄは、例えば、クロム（Ｃｒ），モリブデン（Ｍｏ），アルミニウム（Ａｌ），チタン（Ｔｉ），ニッケル（Ｎｉ）等の遮光性導電材料、あるいはこれらの元素を主体とした合金材料を用いて構成される。また、この例では、支持基板１２３側から表示部１１側へ向かって、遮光電極１２１Ｄ、発光層１２１Ａおよび透明電極１２１Ｃがこの順に積層されており、ここでは透明電極１２１Ｃが表示部１１の表示面Ｓｄ上に設けられるようになっている。
【００２２】
なお、後述するように、このような光源部１２においても、その少なくとも一部分（望ましくは全部）が可撓性（フレキシブル性）を有するようにしてもよい。その場合、光源部１２は、例えば、透明フィルムからなる支持基板１２３および有機ＥＬ素子等からなる発光素子１２１などを用いて構成される。
【００２３】
［表示装置１の作用・効果］
（１．表示動作）
この表示装置１では、例えば図１〜図４に示したように、表示部１１の表示面Ｓｄ側に配設された光源部１２内の複数の発光素子１２１からの発光光Ｌｅ（光源光）および外光Ｌｏ（環境光）のうちの少なくとも一方が、表示部１１における各画素１１０内の反射型表示素子１１１へ入射する。そして、各反射型表示素子１１１では、画素１１０単位での映像信号に基づいて、そのような入射光を変調しつつ反射する。これにより、各画素１１０から反射光としての表示光Ｌｒが出射され、表示装置１において映像表示がなされる。このようにして表示装置１では、外光Ｌｏだけでなく光源部１２からの発光光Ｌｅ（光源光）をも用いて映像表示が行われるため、例えば外光Ｌｏがほとんど存在しない暗い環境下であっても、表示映像の視認が可能となる。
【００２４】
（２．光源部１２の作用）
次に、図１〜図４に加えて図５，図６を参照して、光源部１２の作用について、比較例（比較例１〜３）と比較しつつ詳細に説明する。
【００２５】
（比較例１）
図５は、比較例１に係る表示装置（表示装置１０１）の概略断面構成を、斜視図（分解斜視図）で模式的に表したものである。この比較例１の表示装置１０１は、図１に示した表示装置１において、光源部１２の代わりにいわゆるエッジライト型の光源部１０２を設けたものに対応している。すなわち、この光源部１０２は、導光板１０２Ｂと、この導光板１０２の側面側に配置されると共に発光素子を内蔵する光源１０２Ａとを備えている。そして、光源部１０２では、光源１０２から導光板１０２側へ出射された発光光Ｌｅが、この導光板１０２Ｂ内で全体に拡散されることにより、光源光としての発光光Ｌｅ（面発光光）が表示部１１側へ出射されるようになっている。
【００２６】
ところが、このようなエッジライト型の光源部１０２では、表示部１１のサイズ（画面サイズ）が大きい場合、導光板１０２Ｂ内で発光光Ｌｅを全体に拡散しきれず、光源光の表示面Ｓｄ内での輝度むら（面内むら）が生じてしまうことがある。具体的には、例えば表示面Ｓｄの周辺部分では明るく、表示面Ｓｄの中央部分では暗いものとなり、その結果、表示画質が低下してしまうことになる。
【００２７】
（比較例２）
一方、例えば透過型の表示素子（液晶素子）を有する表示装置では、エッジライト型の光源部（バックライト）において、導光板内に散乱物等を適度に配置することによって、光源からの発光光を導光板内で均一に拡散する手法が用いられている。このような表示装置（比較例２に係る表示装置）では、光源部がバックライトである（表示部の背面側に配置されている）ことから、表示映像の視認時にそのような散乱物がじゃまにならず、上記比較例１で説明したような輝度むらも抑えることができる。
【００２８】
しかしながら、上記比較例１のように、光源部がフロントライトである（表示部の表示面側に配置されている）場合に適用すると、表示映像の視認時に導光板内の散乱物がじゃまになってしまい、表示画質が低下してしまうことになる。
【００２９】
（比較例３）
他方、図６は、比較例３に係る表示装置（表示装置３０１）の概略断面構成を、斜視図（分解斜視図）で模式的に表したものである。この比較例３の表示装置３０１は、図１に示した表示装置１において、光源部１２の代わりに、複数の発光素子３０２Ａを有する光源部３０２を設けたものに対応している。この光源部３０２では、光源部１２と同様に、複数の発光素子３０２Ａが、表示部１１の表示面Ｓｄに対向するように２次元配置されている。
【００３０】
ただし、この光源部３０２では光源部１２とは異なり、図６に示したように、各発光素子３０２Ａからの発光光Ｌｅが、表示部１１側（光源部３０２の裏面側）だけでなくその反対側（光源部３０２の前面側）にも出射されるようになっている。このため、この比較例３の表示装置３０１では、表示部１１の反対側へ出射された発光光Ｌｅによって、表示映像の視認妨げ現象（表示映像の白色化現象）が発生してしまう。すなわち、表示装置１における観察面側にも発光光Ｌｅが出射されるため、視認映像が白っ茶けたもの、あるいは真っ白なものとなってしまう。つまり、この比較例３においても表示画質の低下が生じてしまう。
【００３１】
（本実施の形態の作用）
これらの比較例１〜３に対して、本実施の形態の表示装置１では、例えば図１〜図４に示したように、光源部１２において、複数の発光素子１２１が表示部１１の表示面Ｓｄに対向配置（２次元配置）されている。これにより、例えば表示部１１のサイズ（画面サイズ）が大きい場合であっても、例えば比較例１のようなエッジライト型の光源部１０２の場合と比べ、光源光の表示面Ｓｄ内での輝度むらが抑えられる。
【００３２】
また、光源部１２内には上記比較例２のような散乱物は設けられていないため、表示映像の視認時に、そのような散乱物がじゃまになることもない。
【００３３】
更に、光源部１２では、各発光素子１２１からの発光光Ｌｅが、表示部１１側に選択的に出射される。これにより、例えば比較例３のように、発光光Ｌｅが表示部１１側およびその反対側の双方へ出射される場合とは異なり、前述した表示映像の視認妨げ現象（表示映像の白色化現象）の発生が防止される。
【００３４】
以上のように本実施の形態では、光源部１２内の複数の発光素子１２１を、反射型表示素子１１１を有する表示部１１の表示面Ｓｄに対向配置すると共に、各発光素子１２１からの発光光Ｌｅ（光源光）が表示部１１側に選択的に出射されるようにしたので、光源光の表示面Ｓｄ内での輝度むらを抑えると共に、表示映像の白色化現象の発生を防止することができる。よって、反射型表示素子１１１を用いて映像表示を行う際に、表示画質を向上させることが可能となる。
【００３５】
＜第１の実施の形態の変形例＞
続いて、上記第１の実施の形態の変形例（変形例１，２）について説明する。なお、第１の実施の形態と同一の構成要素については同一符号を付し、その説明を適宜省略する。
【００３６】
［変形例１，２］
（表示装置１Ａ，１Ｂの構成）
図７（Ａ）は、変形例１に係る表示装置（表示装置１Ａ）の断面構成（Ｚ−Ｘ断面構成）の一例を模式的に表したものである。また、図７（Ｂ）は、変形例２に係る表示装置（表示装置１Ｂ）の断面構成（Ｚ−Ｘ断面構成）の一例を模式的に表したものである。
【００３７】
これらの変形例１，２に係る表示装置１Ａ，１Ｂではそれぞれ、第１の実施の形態の表示装置１において、光源部１２の代わりに光源部１２Ａ，１２Ｂを備えたものに対応している。これらの光源部１２Ａ，１２Ｂではそれぞれ、以下説明するように、各発光素子が、表示部１１と光源部１２との間隙距離Ｄｇを制御する構造を有している。なお、図７（Ａ），（Ｂ）および後述する図８ではそれぞれ、便宜上、発光素子１２１における駆動電極の図示を省略している。
【００３８】
具体的には、図７（Ａ）に示した表示装置１Ａでは、光源部１２Ａにおける発光素子１２１−１，１２１−２がそれぞれ、間隙距離Ｄｇを制御可能な発光層１２１Ａの構造を有している。詳細には、これらの発光素子１２１−１，１２１−２における発光層１２１Ａは、遮光部１２２側から表示部１１（表示面Ｓｄ）側に突出する厚膜状からなる。発光素子１２１−１では、発光層１２１Ａが厚膜からなる球形状（粒形状）となっており、発光素子１２１−２では、発光層１２１Ａが厚膜からなる凸型形状（三角錐状）となっている。発光層１２１Ａにおけるこのような突出形状は、樹脂等を用いることで容易に成形することができる。なお、上記した球形状（粒形状）、三角錐状の他、例えば円錐状、三角柱状、逆三角柱状など、種々の形状を適用することが可能である。
【００３９】
一方、図７（Ｂ）に示した表示装置１Ｂでは、まず、光源部１２Ｂにおける発光素子１２１−３，１２１−４がそれぞれ、青色発光層１２１Ｅと、この青色発光層１２１Ｅから出射される青色光（主波長光）のうちの一部を励起させて（色変換を行い）、黄色光（他の波長光，励起光）を発生させる黄色蛍光体１２１Ｆ（色変換層）とを含んでいる。そして、この黄色蛍光体１２１Ｆが、間隙距離Ｄｇを制御可能な構造を有している。詳細には、これらの発光素子１２１−３，１２１−４における黄色蛍光体１２１Ｆは、青色発光層１２１Ｅ側から表示部１１（表示面Ｓｄ）側に突出する厚膜状からなる。発光素子１２１−３では、黄色蛍光体１２１Ｆが厚膜からなる球形状（粒形状）となっており、発光素子１２１−４では、黄色蛍光体１２１Ｆが厚膜からなる凸型形状（三角錐状）となっている。黄色蛍光体１２１Ｆの粒子径は、一般に数μｍ〜数十μｍ程度であるため、その塗布方法を調整することによって、上記した突出形状を簡単に実現することができる。なお、この例においても、上記した球形状（粒形状）、三角錐状の他、例えば円錐状、三角柱状、逆三角柱状など、種々の形状を適用することが可能である。また、黄色蛍光体１２１Ｆの代わりに、青色発光層１２１Ｅを突出形状として間隙距離Ｄｇを制御可能な構造としてもよい。
【００４０】
（表示装置１Ａ，１Ｂの作用・効果）
このような表示装置１Ａ，１Ｂではそれぞれ、発光素子１２１−１〜１２１−４が、表示部１１側へ突出する形状を有していることにより、表示部１１と光源部１２との間隙距離Ｄｇが制御可能となる。具体的には、発光層１２１Ａまたは黄色蛍光体１２１Ｆ等が厚膜状であるため、間隙距離Ｄｇが大きくなり易くなり（間隙距離Ｄｇが確保され易くなり）、近傍の画素１１０に対して発光光Ｌｅが広がり易く（発散し易く）なる。よって、変形例１，２では、上記第１の実施の形態における効果に加え、発光光Ｌｅを効率良く利用することができ、光源光の輝度を向上させる（明るくする）ことが可能となると共に、光源部１２Ａ，１２Ｂにおける低消費電力化を図ることも可能となる。
【００４１】
なお、これに対して例えば図８に示したように、表示部１１と光源部１２との間隙距離Ｄｇが小さ過ぎると、近傍の画素１１０に対して発光光Ｌｅが広がりにくく（発散しにくく）なるため、発光光Ｌｅの利用効率が低下してしまうことになる。したがって、変形例１，２のように、間隙距離Ｄｇをある程度確保するようにするのが望ましい。
【００４２】
＜第２の実施の形態＞
続いて、本開示の第２の実施の形態について説明する。第２の実施の形態では、以下詳述するように、遮光部１２２における開口１２０内にカラーフィルタを配置し、カラー映像表示を可能とした反射型表示装置となっている。なお、第１の実施の形態等と同一の構成要素については同一符号を付し、その説明を適宜省略する。
【００４３】
［表示装置１Ｃの構成］
図９（Ａ）は、第２の実施の形態に係る表示装置（表示装置１Ｃ）の断面構成（Ｚ−Ｘ断面構成）の一例を模式的に表したものである。また、図９（Ｂ）は、この表示装置１Ｃの平面構成（Ｘ−Ｙ平面構成）の一例を模式的に表したものであり、図９（Ｂ）中に示したＩＩ−ＩＩ線に沿った矢視断面構成が、図９（Ａ）に示した断面構成に対応している。本実施の形態の表示装置１Ｃは、第１の実施の形態の表示装置１において、表示部１１，光源部１２Ｃの代わりにそれぞれ、表示部１１Ｃ，光源部１２Ｃを設けたものに対応している。なお、図９（Ｂ）では便宜上、発光素子１２１における駆動電極の図示を省略している。
【００４４】
光源部１２Ｃでは、光源部１２において上記したように、遮光部１２２における開口１２０内に、複数色（ここでは３色）のカラーフィルタが配設されている。具体的には、赤色カラーフィルタ１２４Ｒ，緑色カラーフィルタ１２４Ｇ，青色カラーフィルタ１２４Ｂがそれぞれ、画素（赤色画素１１０Ｒ、緑色画素１１０Ｇおよび青色画素１１０Ｂ）ごとに個別に色分けして配置されている。なお、図９（Ａ）では図示の都合上、赤色画素１１０Ｒおよび緑色画素１１０Ｇについては図示されていない。
【００４５】
詳細には、赤色画素１１０Ｒには、赤色光を選択的に透過する赤色カラーフィルタ１２４Ｒが配置され、緑色画素１１０Ｇには、緑色光を選択的に透過する緑色カラーフィルタ１２４Ｇが配置され、青色画素１１０Ｂには、青色光を選択的に透過する青色カラーフィルタ１２４Ｂが配置されている。これらの赤色カラーフィルタ１２４Ｒ，緑色カラーフィルタ１２４Ｇ，青色カラーフィルタ１２４Ｂはそれぞれ、例えば所定の樹脂材料を用いて構成されている。
【００４６】
また、本実施の形態では、例えば図９（Ｂ）に示したように、赤色カラーフィルタ１２４Ｒ，緑色カラーフィルタ１２４Ｇ，青色カラーフィルタ１２４Ｂに対して、発光素子１２１が並設されており、この発光素子１２１の位置には開口１２０が形成されていない。したがって、図９（Ａ）に示したように、発光素子１２１の対向位置には、反射型表示素子１１１を含む画素が形成されないように、あるいは形成されている画素が使用されない状態となっている（表示部１１Ｃに画素の欠損領域が存在している）。そして、各色のカラーフィルタに対応する複数種類の画素（赤色画素１１０Ｒ、緑色画素１１０Ｇおよび青色画素１１０Ｂ）と、このような並設配置された発光素子１２１とによって、１つの画素ユニット１１０Ｕ（単位セル）が構成されている。つまり、いわゆるＲＧＢＷの画素配置において、Ｗ（白）の画素位置に、発光素子１２１を代わりに設けたものとなっている。なお、このような画素ユニット１１０Ｕは、表示面Ｓｄ内で２次元配置（マトリクス配置）されている。
【００４７】
（表示装置１Ｃの作用・効果）
この表示装置１Ｃでは、遮光部１２２における開口１２０内に、赤色カラーフィルタ１２４Ｒ，緑色カラーフィルタ１２４Ｇ，青色カラーフィルタ１２４Ｂがそれぞれ配設されている。これにより、赤色画素１１０Ｒ、緑色画素１１０Ｇおよび青色画素１１０Ｂにおいてそれぞれ、赤色光，緑色光，青色光が選択的に透過され、その結果、表示装置１Ｃにおいてカラー映像表示が可能となる。
【００４８】
ここで、このようなカラーフィルタを用いたカラー映像表示の際には、一般に、以下の原因によって光利用効率が低下するため、表示映像が全体的に暗くなったり、あるいはかすんだ感じの映像となってしまう等の弊害が生じる。具体的には、カラーフィルタ自体での光透過率や、ブラックマトリクス（ＢＭ）における開口率や、カラーフィルタの基材（ＰＥＴ（PolyEthylene Terephthalate）等透明基材）における光透過率等の影響によって、外光の利用効率が低下してしまう。
【００４９】
これに対して表示装置１Ｃでは、光源部１２Ｃ内に、発光素子１２１と各色のカラーフィルタとが混在されている。したがって、発光素子１２１からの発光光Ｌｅ（光源光）を利用することによって、上記したような、カラーフィルタを用いたことによる光利用効率の低下（映像表示の際の光量不足）を補う（表示光Ｌｒの光量を増強する）ことができる。よって、カラー映像表示時の色再現性を向上させて、カラー映像画質の向上を図ることが可能となる。
【００５０】
＜第２の実施の形態の変形例＞
続いて、上記第２の実施の形態の変形例（変形例３）について説明する。なお、第２の実施の形態等と同一の構成要素については同一符号を付し、その説明を適宜省略する。
【００５１】
［変形例３］
（表示装置１Ｄの構成）
図１０（Ａ）は、変形例３に係る表示装置（表示装置１Ｄ）の断面構成（Ｚ−Ｘ断面構成）の一例を模式的に表したものである。また、図１０（Ｂ）は、この表示装置１Ｄの平面構成（Ｘ−Ｙ平面構成）の一例を模式的に表したものであり、図１０（Ｂ）中に示したＩＩＩ−ＩＩＩ線に沿った矢視断面構成が、図１０（Ａ）に示した断面構成に対応している。本変形例の表示装置１Ｄは、第１の実施の形態の表示装置１において、表示部１１，光源部１２の代わりにそれぞれ、表示部１１Ｄ，光源部１２Ｄを設けたものに対応している。なお、図１０（Ｂ）においても便宜上、発光素子１２１における駆動電極の図示を省略している。
【００５２】
本変形例の光源部１２Ｄにおいても第２の実施の形態の光源部１２Ｃと同様に、遮光部１２２における開口１２０内に、複数色（ここでは３色）のカラーフィルタが配設されている。具体的には、赤色カラーフィルタ１２４Ｒ，緑色カラーフィルタ１２４Ｇ，青色カラーフィルタ１２４Ｂがそれぞれ、画素（赤色画素１１０Ｒ、緑色画素１１０Ｇおよび青色画素１１０Ｂ）ごとに個別に色分けして配置されている。
【００５３】
ただし、光源部１２Ｄでは光源部１２Ｃとは異なり、例えば図１０（Ｂ）に示したように、発光素子１２１が格子状の画素間領域に配置されており、表示部１１Ｄにおいて画素の欠損領域が存在していない。したがって、各色のカラーフィルタに対応する複数種類の画素（赤色画素１１０Ｒ、緑色画素１１０Ｇおよび青色画素１１０Ｂ）のみによって、１つの画素ユニット１１０Ｕ（単位セル）が構成されるようになっている。つまり、いわゆるＲＧＢの画素配置となっている。なお、このような画素ユニット１１０Ｕもまた、表示面Ｓｄ内で２次元配置（マトリクス配置）されている。
【００５４】
（表示装置１Ｄの作用・効果）
このような構成により表示装置１Ｄでは、上記第２の実施の形態における効果に加え、以下の効果も得ることが可能となる。すなわち、上記したようにＲＧＢの画素配置となるため、ＲＧＢＷの画素配置の場合に生じる色純度の低下（Ｗ画素の存在によって色純度が下がる）を抑制することが可能となる。また、上記したように、表示部１１Ｄには画素の欠損領域が存在しないため、第２の実施の形態と比べ、画素の高解像度化を図ることも可能となる。なお、本変形例において、もちろん、上記したＲＧＢの画素配置の代わりにＲＧＢＷの画素配置とすることも可能である。その場合、上記した色純度の低下は生じてしまうものの、ＲＧＢＷの画素配置であることから明るい画像表示を実現することが可能となる。
【００５５】
＜第３の実施の形態＞
続いて、本開示の第３の実施の形態について説明する。第３の実施の形態は、表示装置（表示部および光源部）の撓み状況（湾曲状況）や外光の明るさ状況等に応じて、光源部の発光動作や表示部の表示動作を制御するようにしたものである。なお、第１，第２の実施の形態等と同一の構成要素については同一符号を付し、その説明を適宜省略する。
【００５６】
［表示装置の構成］
図１１（Ａ），（Ｂ）はそれぞれ、第３の実施の形態に係る表示装置（表示装置１，１Ａ〜１Ｄのうちのいずれか）のブロック構成例を模式的に表したものである。本実施の形態の表示装置は、これまでに説明した表示部１１，１１Ｃ，１１Ｄのうちのいずれかと、光源部１２，１２Ａ〜１２Ｄのうちのいずれかと、表示制御部１１５および発光制御部１２５とを備えている。
【００５７】
表示制御部１１５は、表示部１１（１１Ｃ，１１Ｄ）における表示動作の制御（表示制御）を行うものである。具体的には、この表示制御部１１５は、例えば、外光Ｌｏの明るさ状況や、後述する表示部１１（１１Ｃ，１１Ｄ）および光源部１２（１２Ａ〜１２Ｄ）の撓み状況等に応じて、反射型表示素子１１１の表示動作を画素単位で制御するようになっている。なお、撓み状況に応じた表示制御の場合、表示部１１（１１Ｃ，１１Ｄ）および光源部１２（１２Ａ〜１２Ｄ）がそれぞれ、それらの少なくとも一部分において可撓性を有する場合が前提となっており、詳細な表示制御について後述する。
【００５８】
発光制御部１２５は、光源部１２（１２Ａ〜１２Ｄ）における発光動作の制御（発光制御）を行うものである。具体的には、この発光制御部１２５は、例えば、外光Ｌｏの明るさ状況や、後述する表示部１１（１１Ｃ，１１Ｄ）および光源部１２（１２Ａ〜１２Ｄ）の撓み状況等に応じて、光源部１２（１２Ａ〜１２Ｄ）における発光領域および発光輝度をそれぞれ、発光素子１２１単位で制御するようになっている。
【００５９】
より具体的には、例えば図１１（Ａ），（Ｂ）に示したように、発光領域（点灯領域）Ａonと非発光領域（消灯領域）Ａoffとを発光素子１２１単位で制御することによって、光源部１２（１２Ａ〜１２Ｄ）からの光源光が、表示面Ｓｄの全体あるいは任意の一部分に照射されるように制御する。また、そのような発光領域Ａon内においても、例えば発光素子１２１単位で発光輝度を制御することによって、発光輝度が異なるいくつかの分割領域が形成されるようにしてもよい。
【００６０】
なお、ここでも撓み状況に応じた発光制御の場合、表示部１１（１１Ｃ，１１Ｄ）および光源部１２（１２Ａ〜１２Ｄ）がそれぞれ、それらの少なくとも一部分において可撓性を有する場合が前提となっており、詳細な発光制御について後述する。
【００６１】
また、表示部１１（１１Ｃ，１１Ｄ）および光源部１２（１２Ａ〜１２Ｄ）における撓み状況の検知（撓み位置や撓み度合い等の検知）については、例えば各種のセンサ（位置センサおよびベンディングセンサ等）における検知結果を利用するようにすればよい。つまり、表示制御部１１５および発光制御部１２５がそれぞれ、これらのセンサでの検知結果に基づいて、上記したような撓み状況に応じた表示制御および発光制御を行うようにすればよい。
【００６２】
［撓み状況に応じた制御動作］
ここで、図１２〜図１４を参照して、本実施の形態に係る制御動作（発光制御動作および表示制御動作）のうち、表示部１１（１１Ｃ，１１Ｄ）および光源部１２（１２Ａ〜１２Ｄ）の撓み状況に応じた制御動作について詳細に説明する。したがって、以下の説明では、これらの表示部１１（１１Ｃ，１１Ｄ）および光源部１２（１２Ａ〜１２Ｄ）がそれぞれ、少なくとも一部分に可撓性を有する場合を前提としている。
【００６３】
（発光制御動作）
まず、例えば図１２（Ａ）に示したように、表示部１１（１１Ｃ，１１Ｄ）および光源部１２（１２Ａ〜１２Ｄ）の一部分が撓んでいる（湾曲している）場合について考える。このような場合、湾曲領域（撓み領域）Ａｃでは平坦領域（非撓み領域，非湾曲領域）Ａｆと比べ、光源部１２（１２Ａ〜１２Ｄ）から出射される光源光の輝度が低下し易くなり、その結果、湾曲領域Ａｃ付近では表示映像の輝度（明るさ）が低下し易くなる。
【００６４】
そこで、このような撓み状況が検知された場合、発光制御部１２５は、例えば図１２（Ｂ）に示したようにして発光制御動作を行う。具体的には、湾曲領域Ａｃ付近に位置する発光素子１２１に対して、その発光輝度を増加させる。すなわち、例えば平坦部Ａｆにおける発光輝度をＹｆとした場合、湾曲領域Ａｃ付近の発光素子１２１において、その発光輝度をＹｆよりも増加させるようにする。このような発光制御動作により、上記したような湾曲領域Ａｃ付近における光源光の輝度（表示輝度）の低下を抑え、表示むらを低減する（表示画質を向上させる）ことが可能となる。なお、図１２（Ｂ）中に示したように、上記した発光制御動作（発光輝度を増加させる制御）の代わりに、湾曲領域Ａｃ付近に位置する発光素子１２１に対してその発光動作を停止させる（発光輝度＝「０（ゼロ）」とする）という発光制御動作を行うようにしてもよい。つまり、湾曲領域Ａｃ一帯において、画像表示を行わないようにしてもよい。このような発光制御動作を行う場合も、上記と同様に、表示むらを低減する（表示画質を向上させる）ことが可能となる。
【００６５】
次に、例えば図１３に示したように、図９で説明したＲＧＢＷの画素配置を利用した画素ユニット１１０Ｕを有する表示装置１Ｃにおいて、この画素ユニット１１０Ｕ内（赤色画素１２４Ｒ，青色画素１２４Ｂと緑色画素１２４Ｇ，発光素子１２１との間）に湾曲ラインＬｃが存在している状況について考える。このような撓み状況では、この湾曲ラインＬｃによって画素ユニット内が湾曲しているため、発光素子１２１から各画素へ出射される発光光Ｌｅの輝度（発光輝度）にばらつきが生じ易くなる。具体的には、例えば図１３中に示したように、ここでは緑色画素１２４へ出射される発光輝度が、相対的に高くなる（発光光Ｌｅの光量が相対的に多くなる）。一方、湾曲ラインＬｃを跨いだ赤色画素１２４Ｒ，青色画素１２４Ｂ側へ出射される発光輝度は、相対的に低くなる（発光光Ｌｅの光量が相対的に少なくなる）。その結果、湾曲領域Ａｃ付近ではホワイトバランスが崩れ易くなり（この場合、光源光，表示光において、赤色成分および青色成分が低下する一方、緑色成分が増加する）、カラー映像表示時の画質が低下してしまうことになる。
【００６６】
そこで、このような撓み状況が検知された場合、発光制御部１２５は、例えば図１４（Ａ）に示したようにして発光制御動作を行う。具体的には、湾曲領域Ａｃ（ここでは湾曲ラインＬｃ）付近に位置する発光素子１２１に対して、その発光輝度を増加させる。すなわち、湾曲ラインＬｃ付近の発光素子１２１において、その発光輝度をＹｆ（平坦領域Ａｆでの発光輝度）よりも増加させるようにする。なお、図１４（Ａ）中に示した例では、発光輝度をＹｆよりも増加させるようにして発光制御動作を行っている。このような発光制御動作により、上記したような湾曲領域Ａｃ付近におけるホワイトバランスの崩れを抑え（ホワイトバランスが保たれるようにすることができ）、カラー映像表示時の画質を向上させることが可能となる。
【００６７】
（表示制御動作）
更に、図１３に示したような撓み状況が検知された場合に、上記した発光制御動作を行うことに加え、表示制御部１１５が以下のようにして表示制御動作を行うようにしてもよい。
【００６８】
具体的には、例えば図１４（Ｂ）に示したように、湾曲領域Ａｃ（ここでは湾曲ラインＬｃ）付近に位置する画素（ここでは赤色画素１１０Ｒ，緑色画素１１０Ｇ，青色画素１１０Ｂ）内の各反射型表示素子１１１へ供給する映像信号の階調を制御する。より具体的には、例えば、入射する発光光Ｌｅの光量が相対的に多くなる緑色画素１１０Ｇでは、供給される映像信号の階調を低下させる（平坦領域Ａｆにおける緑色画素１１０Ｇへの映像信号の階調をＧｆとすると、この階調Ｇｆよりも低くなるようにする）。一方、例えば、入射する発光光Ｌｅの光量が相対的に少なくなる赤色画素１１０Ｒ，青色画素１１０Ｂではそれぞれ、供給される映像信号の階調を増加させる（平坦領域Ａｆにおける赤色画素１１０Ｒ，青色画素１１０Ｂへの映像信号の階調をそれぞれＲｆ，Ｂｆとすると、各階調Ｒｆ，Ｂｆよりも高くなるようにする）。このような表示制御動作を加えることによっても、上記したような湾曲領域Ａｃ付近におけるホワイトバランスの崩れを抑え（ホワイトバランスが保たれるようにすることができ）、カラー映像表示時の画質を向上させることが可能となる。
【００６９】
以上のように本実施の形態では、表示装置（表示部および光源部）の撓み状況（湾曲状況）や外光の明るさ状況等に応じて、光源部の発光動作や表示部の表示動作を制御するようにしたので、反射型表示装置における利点である低消費電力への弊害を抑えたり、発光素子の長寿命化を図ることができると共に、更なる高画質化を図ることも可能となる。
【００７０】
＜適用例＞
次に、図１５〜図２０を参照して、上記各実施の形態（第１〜第３の実施の形態）および各変形例（変形例１〜３）に係る表示装置（表示装置１，１Ａ〜１Ｄ）の適用例について説明する。上記実施の形態等に係る表示装置は、電子ブック（e−book）、テレビジョン装置，デジタルカメラ，ノート型パーソナルコンピュータ、携帯電話等の携帯端末装置あるいはビデオカメラなどのあらゆる分野の電子機器に適用することが可能である。また、ブックリーダとしてだけでなく、音楽プレーヤ，動画プレーヤ，写真ビューア，地図アプリ，ウエブブラウザなどを閲覧可能な表示装置および電子機器全般に使用することができる。言い換えると、この表示装置は、外部から入力された映像信号あるいは内部で生成した映像信号を、画像あるいは映像として表示するあらゆる分野の電子機器に適用することが可能である。
【００７１】
（適用例１）
図１５（Ａ）および図１５（Ｂ）はそれぞれ、上記表示装置が適用される電子ブックの外観を表したものである。この電子ブックは、例えば、表示部２１０，非表示部２２０および操作部２３０を有しており、この表示部２１０が上記表示装置により構成されている。操作部２３０は、図１５（Ａ）に示したように表示部２１０と同じ面（前面）に形成されていても、図１５（Ｂ）に示したように表示部２１０とは異なる面（上面）に形成されていてもよい。
【００７２】
（適用例２）
図１６は、上記表示装置が適用されるテレビジョン装置の外観を表したものである。このテレビジョン装置は、例えば、フロントパネル３１０およびフィルターガラス３２０を含む映像表示画面部３００を有しており、この映像表示画面部３００が上記表示装置により構成されている。
【００７３】
（適用例３）
図１７は、上記表示装置が適用されるデジタルカメラの外観を表したものである。このデジタルカメラは、例えば、フラッシュ用の発光部４１０、表示部４２０、メニュースイッチ４３０およびシャッターボタン４４０を有しており、この表示部４２０が上記表示装置により構成されている。
【００７４】
（適用例４）
図１８は、上記表示装置が適用されるノート型パーソナルコンピュータの外観を表したものである。このノート型パーソナルコンピュータは、例えば、本体５１０，文字等の入力操作のためのキーボード５２０および画像を表示する表示部５３０を有しており、この表示部５３０が上記表示装置により構成されている。
【００７５】
（適用例５）
図１９は、上記表示装置が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。そして、この表示部６４０が上記表示装置により構成されている。
【００７６】
（適用例６）
図２０は、上記表示装置が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そして、これらのうちのディスプレイ７４０またはサブディスプレイ７５０が、上記表示装置により構成されている。
【００７７】
＜その他の変形例＞
以上、実施の形態、変形例および適用例を挙げて本開示の技術を説明したが、本技術はこれらの実施の形態等に限定されず、種々の変形が可能である。
【００７８】
例えば、各色のカラーフィルタの配置構成やカラーフィルタの色の種類等については、上記実施の形態等で説明したものには限られず、他の構成としてもよい。
【００７９】
また、上記実施の形態等では、主に、表示部や光源部においてその少なくとも一部（一部分あるいは全部）が可撓性を有する場合を例に挙げて説明したが、そのような場合には限られず、これらの表示部および光源部がそれぞれ、全く可撓性を有さないようにしてもよい。
【００８０】
なお、本技術は以下のような構成を取ることも可能である。
（１）
各々が反射型表示素子を含む複数の画素を有する表示部と、
前記表示部の表示面側に配設されると共に、前記表示面に対向配置された複数の発光素子を有する光源部と
を備え、
前記光源部では、前記発光素子からの発光光が前記表示部側に選択的に出射される
表示装置。
（２）
前記光源部は、画素領域に対応して開口が形成された遮光部を有し、
前記発光素子は、画素間領域において前記遮光部の前記表示部側に配置されている
上記（１）に記載の表示装置。
（３）
前記遮光部における前記開口内に、カラーフィルタが配設されている
上記（２）に記載の表示装置。
（４）
前記カラーフィルタが、前記画素ごとに色分けされて複数色設けられており、
前記複数色のカラーフィルタに対応した複数種類の画素によって、画素ユニットが構成されている
上記（３）に記載の表示装置。
（５）
前記カラーフィルタが、前記画素ごとに色分けされて複数色設けられており、
前記複数色のカラーフィルタに対応した複数種類の画素と、前記複数色のカラーフィルタに対して並設された前記発光素子とによって、画素ユニットが構成されている
上記（３）に記載の表示装置。
（６）
前記発光素子が、前記表示部と前記光源部との間隙距離を制御する構造を有する
上記（２）ないし（５）のいずれかに記載の表示装置。
（７）
前記発光素子が発光層を含んで構成され、
前記発光層が、前記表示部側に突出する厚膜状からなる
上記（６）に記載の表示装置。
（８）
前記発光素子が、発光層と、この発光層からの発光光を色変換する色変換層とを含んで構成され、
前記色変換層が、前記表示部側に突出する厚膜状からなる
上記（６）に記載の表示装置。
（９）
前記発光素子が、発光層および駆動電極を含む
上記（２）ないし（８）のいずれかに記載の表示装置。
（１０）
前記駆動電極が、前記遮光部と前記発光層との間に配置されている
上記（９）に記載の表示装置。
（１１）
前記駆動電極が遮光電極であり、前記遮光部を兼ねている
上記（９）に記載の表示装置。
（１２）
前記発光素子の発光動作を制御する発光制御部を備え、
前記発光制御部は、前記光源部における発光領域および発光輝度をそれぞれ、前記発光素子単位で制御する
上記（１）ないし（１１）のいずれかに記載の表示装置。
（１３）
前記表示部および前記光源部ではそれぞれ、それらの少なくとも一部分が可撓性を有し、
前記発光制御部は、前記表示部および前記光源部の撓み状況に応じて、前記発光動作を制御する
上記（１２）に記載の表示装置。
（１４）
前記発光制御部は、前記表示部および前記光源部の湾曲領域付近に位置する発光素子に対して、その発光動作を停止、またはその発光輝度を増加させる
上記（１３）に記載の表示装置。
（１５）
前記発光制御部は、外光の明るさ状況に応じて、前記発光動作を制御する
上記（１２）ないし（１４）のいずれかに記載の表示装置。
（１６）
前記表示部および前記光源部ではそれぞれ、それらの少なくとも一部分が可撓性を有し、
前記表示部および前記光源部の撓み状況に応じて前記反射型表示素子の表示動作を前記画素単位で制御する表示制御部を備えた
上記（１）ないし（１５）のいずれかに記載の表示装置。
（１７）
前記表示制御部は、
前記表示部および前記光源部の湾曲領域付近に位置する、複数色に対応する画素内の各反射型表示素子へ供給する映像信号の階調を制御することにより、その湾曲領域付近でのホワイトバランスが保たれるように制御する
上記（１６）に記載の表示装置。
（１８）
前記反射型表示素子が、電気泳動素子、液晶素子、ＭＥＭＳ素子、エレクトロウェッティング素子またはエレクトロクロミック素子からなる
上記（１）ないし（１７）のいずれかに記載の表示装置。
（１９）
前記発光素子が、有機電界発光素子または無機電界発光素子からなる
上記（１）ないし（１８）のいずれかに記載の表示装置。
（２０）
表示装置を備え、
前記表示装置は、
各々が反射型表示素子を含む複数の画素を有する表示部と、
前記表示部の表示面側に配設されると共に、前記表示面に対向配置された複数の発光素子を有する光源部と
を備え、
前記光源部では、前記発光素子からの発光光が前記表示部側に選択的に出射される
電子機器。
【符号の説明】
【００８１】
１，１Ａ〜１Ｄ…表示装置、１１，１１Ｃ，１１Ｄ…表示部（表示パネル）、１１０…画素、１１０Ｕ…画素ユニット、１１１…反射型表示素子、１１５…表示制御部、１２，１２Ａ〜１２Ｄ…光源部（フロントライト）、１２０…開口、１２１，１２１−１〜１２１−４…発光素子、１２１Ａ…発光層、１２１Ｂ…電極、１２１Ｃ…透明電極、１２１Ｄ…遮光電極、１２１Ｅ…青色発光層、１２１Ｆ…黄色蛍光体、１２２…遮光部、１２３…支持基板、１２４Ｒ…赤色カラーフィルタ、１２４Ｇ…緑色カラーフィルタ、１２４Ｂ…青色カラーフィルタ、１２５…発光制御部、Ｓｄ…表示面、Ｌｅ…発光光（光源光）、Ｌｏ…外光（環境光）、Ｌｒ…表示光（反射光）、Ｄｇ…間隙距離、Ａon…発光領域（点灯領域）、Ａoff…非発光領域（消灯領域）、Ａｆ…平坦領域、Ａｃ…湾曲領域、Ｌｃ…湾曲ライン。
【図１】
2013218057.tif 000003
【図２】
2013218057.tif 000004
【図３】
2013218057.tif 000005
【図４】
2013218057.tif 000006
【図５】
2013218057.tif 000007
【図６】
2013218057.tif 000008
【図７】
2013218057.tif 000009
【図８】
2013218057.tif 000010
【図９】
2013218057.tif 000011
【図１０】
2013218057.tif 000012
【図１１】
2013218057.tif 000013
【図１２】
2013218057.tif 000014
【図１３】
2013218057.tif 000015
【図１４】
2013218057.tif 000016
【図１５】
2013218057.tif 000017
【図１６】
2013218057.tif 000018
【図１７】
2013218057.tif 000019
【図１８】
2013218057.tif 000020
【図１９】
2013218057.tif 000021
【図２０】
2013218057.tif 000022